(57)【要約】  本発明は、芯（１４）と、この芯（１４）の少なくとも一部分を収容するカートリッジ（１２）と、上記芯の整形手段（２８，３６）を有する保護キャップ（１６）とを備えたペンシルに関する。本発明によれば、上記保護キャップ（１６）を上記カートリッジ（１２）に被せる操作に応答して、上記芯をカートリッジ（１２）に対して軸線方向に変位させる手段（２０，２２）を備えている。
2011502662.tif 000002
【特許請求の範囲】
【請求項１】
芯（１４）と、
該芯（１４）の少なくとも一部分を収容するカートリッジ（１２）と、
前記芯の整形手段（２８，３６）を備えた保護キャップ（１６）と、
を有するペンシルにおいて、
前記保護キャップ（１６）を前記カートリッジ（１２）に被せる操作に応答して、前記芯を前記カートリッジに対して軸線方向に変位させる手段（２０，２２）を備えていることを特徴とするペンシル。
【請求項２】
前記芯の整形手段（２８，３６）は、前記保護キャップを前記カートリッジに被せる操作に応答するものであることを特徴とする請求項１記載のペンシル。
【請求項３】
前記保護キャップを被せる操作が押込みおよび／または螺着であることを特徴とする請求項１または２記載のペンシル。
【請求項４】
前記整形動作が切断および／または先端を尖らすことであることを特徴とする請求項１から３の何れか１項記載のペンシル。
【請求項５】
前記芯を変位させる手段（２０，２２）は、前記芯（１４）を前記カートリッジ（１２）から押し出す方向に作用することを特徴とする請求項１から４の何れか１項記載のペンシル。
【請求項６】
前記変位を所定の距離Ｍに制限する手段（３２）を備えていることを特徴とする請求項１から５の何れか１項記載のペンシル。
【請求項７】
前記制限手段（３２）が前記カートリッジ（１２）上に形成されたストッパであることを特徴とする請求項６記載のペンシル。
【請求項８】
前記距離Ｍが０．５ｍｍと１．１ｍｍとの間であることを特徴とする請求項６または７記載のペンシル。
【請求項９】
前記カートリッジ（１２）を軸線方向に変位可能に支持する柄部（１０）と、
前記芯（１４）が前記カートリッジ（１２）から押し出されるのは許容するが、前記芯（１４）が前記カートリッジ（１２）内へ押し込まれるのは阻止する態様で、前記芯（１４）を前記柄部（１０）に結合する第１の一方向クラッチ（２２）と、
を備えていることを特徴とする請求項１から８の何れか１項記載のペンシル。
【請求項１０】
前記芯（１４）が前記カートリッジ（１２）から押し出されるのは許容するが、前記芯（１４）が前記カートリッジ（１２）内へ押し込まれるのは阻止する態様で、前記カートリッジ（１２）を前記芯（１４）に結合する第２の一方向クラッチ（２４）を備えていることを特徴とする請求項１から９の何れか１項記載のペンシル。
【請求項１１】
前記第１および／または第２の一方向クラッチ（２２，２４）が戻り止め爪機構を備えていることを特徴とする請求項９または１０記載のペンシル。
【請求項１２】
前記カートリッジ（１２）を前記柄部（１０）に対して付勢する手段（２６）を備えていることを特徴とする請求項９から１１の何れか１項記載のペンシル。
【請求項１３】
前記保護キャップ（１６）が、前記芯（１４）を切断および／または先端を尖らすことによって整形するための少なくとも１枚の刃（３６）を備えていることを特徴とする請求項１から１２の何れか１項記載のペンシル。
【請求項１４】
前記刃（３６）は、前記芯（１４）の軸線方向の弾性復帰力に抗して撓むことができるものであることを特徴とする請求項１３記載のペンシル。
【請求項１５】
前記刃（３６）は、弾性復帰力に抗して向きを変えおよび／または変形することが可能であることを特徴とする請求項１３または１４記載のペンシル。
【請求項１６】
前記保護キャップ（１６）は少なくとも１枚の案内テンプレート（３４）を備えていることを特徴とする請求項１から１５の何れか１項記載のペンシル。
【請求項１７】
前記案内テンプレート（３４）は、前記芯（１４）の軸線方向の弾性復帰力に抗して撓むことができるものであることを特徴とする請求項１６記載のペンシル。
【請求項１８】
前記芯の整形手段（２８，３６）は、待機位置においては前記芯（１４）に対し力を行使しないことを特徴とする請求項１から１７の何れか１項記載のペンシル。
【請求項１９】
待機姿勢における前記芯の整形手段（２８）に当接する軸線方向のストッパ（３２）を備えていることを特徴とする請求項１から１８の何れか１項記載のペンシル。
【発明の詳細な説明】
【技術分野】
【０００１】
本発明は、芯と、この芯の少なくとも一部分を収容するカートリッジと、上記芯の整形手段を備えた保護キャップとを有するペンシルに関するものである。
【背景技術】
【０００２】
上述の種類のペンシルは、例えば特許文献１によって知られている。それによると、芯を整形するための手段が、芯の先端を尖らせる形式のものとして構成されている。芯を尖らせる動作は、芯削り器を内蔵したキャップを被せた後に、二つのスリーブ部分を相対的に回転させ、これにより芯に対する回転動作を生じさせることによって行なわれる。回転作用による芯の前進動作は滑りクラッチにより制限される。
【０００３】
特許文献２には、ペンシルのための、芯削り器を組み込んだ保護キャップおよび柄部を備えた鉛筆が開示されている。芯削り器を備えた保護キャップに対して柄部を回転させると、ストッパに達するまで鉛筆の前進運動が行なわれる。したがって、この前進運動は、所定の距離に制限される。
【先行技術文献】
【特許文献】
【０００４】
【特許文献１】独国特許発明第１９６ １６ ６１３ Ｃ１号明細書
【特許文献２】米国特許第２,５１４,７６１号明細書
【発明の概要】
【発明が解決しようとする課題】
【０００５】
本発明の解決しようとする課題は、その取扱いが簡単な、冒頭部分で説明された種類のペンシルの開発にある。
【課題を解決するための手段】
【０００６】
本発明によれば、保護キャップをカートリッジに被せる操作に応答して上記芯を上記カートリッジに対して軸線方向に変位させる手段が提供される。
【０００７】
したがって本発明によれば、芯を整形するのに必要な前進運動が、さらなる対策を必要とすることなく、単に保護キャップをカートリッジに被せるだけで自動的になされる。かくして、取扱いが簡単になる。
【０００８】
上記芯の整形動作は、上記保護キャップを上記カートリッジに被せる操作と無関係に行なうことができる。しかしながら、本発明によれば、保護キャップがカートリッジに被せられる操作に応答して芯を整形する手段が好ましい。換言すれば、保護キャップがカートリッジに被せられるときに二通りの動作が行なわれる。一方では芯がカートリッジに対して軸線方向へ変位され、他方では芯の先端が尖らせられる。これらの二つの動作は、必ずしも同時に行なわれる必要はない。むしろ、最初に芯が軸線方向へ変位され、次に保護キャップを被せる操作の第２段階において、芯の整形が行なわれる。
【０００９】
本発明によれば、上記保護キャップを被せる操作が押込みおよび／または螺着である。
【００１０】
本発明によれば、上記整形動作が上記芯の切断および／または芯の先端を尖らすことを含む。
【００１１】
本発明の特に好ましい実施の形態によれば、上記芯を変位させる手段は、上記芯を上記カートリッジから押し出す方向に（限定して）作用する。このことは、芯の先端が丸くなった後に、上記保護キャップが上記カートリッジに単純に被せられることにより、上記芯が上記カートリッジの前端から常に或る長さだけ突出することを保証する。
【００１２】
さらに好ましい実施の形態によれば、上記整形手段と同調させることができるように、上記芯の変位を所定の距離に制限する手段を備えており、上記保護キャップを上記カートリッジに被せ（そしてこの保護キャップを再び取り外すと、上記芯の規定された作用領域が提供される。
【００１３】
本発明の実施の形態によれば、上記制限手段は、上記カートリッジ上に形成されたストッパであることが好ましい。これは、特に簡単な解決手段を提供する。
【００１４】
上記距離は０．５ｍｍと１．１ｍｍとの間であることが効果的であり、好ましくは０．６ｍｍと１．０ｍｍとの間、より好ましくは、０．７ｍｍと０．９ｍｍとの間である。
【００１５】
本発明のペンシルによれば、上記カートリッジを軸線方向に変位可能に支持する柄部と、上記芯が上記カートリッジから押し出されるのは許容するが、この芯が上記カートリッジ内へ押し込まれるのは阻止する態様で、上記芯を上記柄部に結合する第１の一方向クラッチとを備えていることが好ましい。
【００１６】
さらに好ましい実施の形態においては、上記芯が上記カートリッジから押し出されるのは許容するが、この芯が上記カートリッジ内へ押し込まれるのは阻止する態様で、上記カートリッジを上記芯に結合する第２の一方向クラッチを備えている。
【００１７】
上記第１および／または第２の一方向クラッチが戻り止め爪機構を備えることができる。これは、特に機構的に簡単な解決手段である。
【００１８】
本発明によれば、上記柄部に対して上記カートリッジを付勢する手段を備えていることが好ましい。この構成により、上記芯の前進動作の後に、上記カートリッジはその最初の位置に自動的に復帰することができる。
【００１９】
本発明によれば、上記保護キャップが、上記芯を切断および／または先端を尖らすことによって整形するための少なくとも１枚の刃を備えていることがさらに好ましい。
【００２０】
その場合に、本発明の好ましい特徴においては、上記刃が、上記芯の軸線方向の弾性復帰力に抗して撓むことができるものである。これにより、上記切断／芯尖らし動作における過大な軸線方向の力を防止することができる。
【００２１】
しかしながら、上記刃は、弾性復帰力に抗して向きを変えおよび／または変形することも可能である。
【００２２】
本発明の特に好ましい実施の形態においては、上記保護キャップは少なくとも１枚の案内テンプレートを備えている。この案内テンプレートは、上記芯を所定の切断径路に沿って切断する機能を有する。
【００２３】
本発明の特に好ましい実施の形態においては、再度過大な軸線方向の力を吸収するために、上前記案内テンプレートが、上記芯の軸線方向の弾性復帰力に抗して撓むことができる。
【００２４】
上記芯の整形手段は、待機位置においては上記芯に対し何等の力をも行使しないことが好ましい。より具体的に言えば、上記芯の整形後であっても、例えば長時間の貯蔵、または高い温度において、この芯に対して圧力が継続的に印加されていると、再び芯の先端が潰れたり、摘まれたりする結果となる。
【００２５】
特に上述の理由により、本発明によれば、上記芯の整形手段が、待機位置において当接する軸線方向のストッパを備えていることが好ましい。すなわち、上記芯の整形手段は、待機位置において上記芯に対して何等の力をも行使しないことになる。
【００２６】
以下、添付図面を参照して、本発明の複数の好ましい実施の形態について詳細に説明する。
【図面の簡単な説明】
【００２７】
【図１】図１（ａ）〜（ｄ）は、本発明の第１の実施の形態によるペンシルの種々の動作状態を示す縦断面図である。
【図２】図２（ａ）〜（ｄ）は、本発明の第２の実施の形態によるペンシルの図１と同様の縦断面図である。
【図３】図３（ａ）〜（ｄ）は、本発明の第３の実施の形態によるペンシルの図１および図２と同様の縦断面図である。
【発明を実施するための形態】
【００２８】
図１に示されているペンシルは、柄部１０、カートリッジ１２、棒状体すなわち芯１４、ねじ溝１８によって柄部１０に螺着可能な保護キャップ１６、心棒２０、第１の戻り止め爪機構２２、第２の戻り止め爪機構２４、第１のコイルスプリング２６、芯削り器２８および第２のコイルスプリング３０を備えている。
【００２９】
図１に示されたペンシルは下記のように動作する。すなわち、
図１（ａ）は先が丸くなった芯１４を備えたペンシルを示す。芯を尖らすために、図１（ｂ）に示されているように、保護キャップ１６が柄部１０に螺着される。ねじ溝１８はこの目的に役立つ。保護キャップ１６が、図１（ｂ）に示されている動作位置からさらに柄部１０内へ螺入されると、保護キャップ１６は若干の螺入動作の後にカートリッジ１２上のストッパ３２に当接し、このストッパ３２が柄部１０に当接するまでカートリッジ１２を柄部１０に押し込む。その結果、カートリッジ１２は、図示の実施の形態においては０．８ｍｍである距離Ｍだけ変位される。
【００３０】
戻り止め爪機構２２が心棒２０に食い込んでいるために、心棒２０も芯１４もカートリッジ１２と共には変位されない。むしろ心棒２０は、カートリッジ１２から芯１４を、具体的には距離Ｍだけ押し出す。
【００３１】
芯削り器２８は保護キャップ１６とともに移動するので、すなわち芯削り器２８は、一方では回転せしめられ、他方では図の左方へ移動せしめられるので、芯１４が尖らされる。芯削り器２８が過剰な圧力を芯１４に与えるのを防止するために、芯削り器２８はコイルスプリング３０を用いて支持されている。したがって、芯削り器２８は図の右方へ退避することができる。
【００３２】
図示のように、保護キャップ１６を柄部１０に螺着して図１（ｃ）に示されている位置に螺入するだけで、芯１４の先端が尖らされる。
【００３３】
ここで、保護キャップ３０を柄部１０から螺脱させると、戻り止め爪機構２４を心棒２０に押し付けているスプリング２６が芯１４およびカートリッジ１２を再び柄部１０の外へ押出して、図１（ａ）に示されている動作状態に復帰させるが、この場合は、芯１４が尖らされ、かつ距離Ｍだけカートリッジ１２から突出している点が図１（ａ）とは異なっている。
【００３４】
図２に示されている実施の形態は、図１に示されている実施の形態とほぼ類似しているが、芯削り器２８に代えて、案内テンプレート３４および可撓性を有する刃３６が予め備えられている。これに加えて、保護キャップ１６を柄部１０に螺着するためのねじ溝も設けられておらず、保護キャップ１６は柄部１０に押し込むことができる。
【００３５】
図２に示された実施の形態は下記のように動作する。すなわち、
図２（ａ）には先が丸くなった芯１４を備えたペンシルが再度示されている。保護キャップ１６が柄部１０に押し込まれると、案内テンプレート３４はストッパ３２に当接する。この状態は図２（ｂ）に示されている。保護キャップ１６がさらに柄部１０に押し込まれると、案内テンプレート３４がストッパ３２を介してカートリッジ１２を柄部１０内に押し込む。これに反して、心棒２０および芯１４は、戻り止め爪機構２２があるために変位されない。反対にコイルスプリング２６が圧縮される。
【００３６】
保護キャップ１６は、ストッパ３２が柄部１０に当接すると、保護キャップ１６は、案内テンプレート３４に対して図の左方へ移動する。その結果、図２（ｃ）に示されているように、その移動の分だけ案内テンプレート３４から突出している芯１４を刃３６が横切るように案内テンプレート３４に沿って摺動する。その結果、芯１４が斜めに切断される。この状態では、圧縮されているコイルスプリング３８によって案内テンプレート３４が支えられている。それによって、芯１４の先端が修復される。
【００３７】
その後、保護キャップ１６が柄部１０から取り外されると、ペンシルは図２（ｄ）に示されている状態となる。そのため、コイルスプリング２６は、戻り止め爪機構２４を押圧して、心棒２０および芯１４をカートリッジ１２の外方へ距離Ｍだけ突出させ、芯１４の先がもはや丸くないことを除いては、図２（ａ）に示された状態になる。
【００３８】
したがって、図２の実施の形態も、保護キャップ１６を柄部１０に押し込むだけで、芯１４の先端が適当に整形される。
【００３９】
図３に示された実施の形態は下記のように動作する。すなわち、
図３（ａ）は先が丸くなった芯１４を備えたペンシルを再度示している。保護キャップ１６が柄部１０に押し込まれると、保護キャップ１６がストッパ３２に当接する。この状態が図３（ｂ）に示されている。保護キャップ１６をさらに柄部１０内に押し込むと、カートリッジ１２はストッパ３２を介して柄部１０内に押し込まれる。これに反して、心棒２０および芯１４は、戻り止め爪機構２２があるために変位されない。反対にコイルスプリング２６が付勢される。
【００４０】
保護キャップ１６は、ストッパ３２が柄部１０に当接するまで柄部１０に押し込まれることができる。この状態は図３（ｃ）に示されている。しかしながら図３（ｃ）における図は、ノブ４０が押されている点で図３（ｂ）に示されたものと異なっている。ノブ４０を押すと、刃３６が案内テンプレート３４に沿って摺動することによって、刃３６が芯１４の先端を切断する。この場合はコイルスプリング４２が圧縮され、ノブ４０が解放されたときに、刃３６を元の位置に復帰させる。
【００４１】
芯１４の先端が切断された後、保護キャップ１６が柄部１０から取り外されると、ペンシルは図３（ｄ）に示されている状態となる。そのため、コイルスプリング２６は、戻り止め爪機構２４を押圧して、心棒２０および芯１４をカートリッジ１２の外方へ距離Ｍだけ突出させ、芯１４の先がもはや丸くないことを除いては、図３（ａ）に示された状態になる。
【００４２】
上述の説明が示しているように、図３の実施の形態においては、保護キャップ１６を柄部１０に押し込むだけで、整形のために芯１４をカートリッジ１２の内部で変位させることができる。
【００４３】
上述の説明、請求項および図面において開示された本発明の特徴は、個々においても、組合せにおいても、本発明を種々の実施の形態において実施するために、基本的なものとすることができる。
【符号の説明】
【００４４】
１０  柄部
１２  カートリッジ
１４  芯
１６  保護キャップ
１８  ねじ溝
２０  心棒
２２  第１の戻り止め爪機構
２４  第２の戻り止め爪機構
２６，３０，３８，４２  コイルスプリング
２８  芯削り器
３２  ストッパ
３４  案内テンプレート
３６  刃
４０  ノブ
【図１】
2011502662.tif 000003
【図２（ａ）】
2011502662.tif 000004
【図２（ｂ）】
2011502662.tif 000005
【図２（ｃ）】
2011502662.tif 000006
【図２（ｄ）】
2011502662.tif 000007
【図３（ａ）】
2011502662.tif 000008
【図３（ｂ）】
2011502662.tif 000009
【図３（ｃ）】
2011502662.tif 000010
【図３（ｄ）】
2011502662.tif 000011
【国際調査報告】
2011502662.tif 000012
2011502662.tif 000013
2011502662.tif 000014
2011502662.tif 000015